(57)【要約】【課題】予め定められた場所と時間帯において、一定量以上の雨、雪、あられまたはみぞれが降り続いた場合、お見舞金またはお見舞サービスを、お天気保険付き商品配信装置、お天気保険判定サーバおよびお天気保険システムを通じて容易に提供できるようにする。【解決手段】お天気保険システム１０は、お天気保険付き旅行、お天気保険付きホテルやお天気保険付き結婚式などの商品プランを提供する複数の事業主端末１００と、これらの商品プランが掲載された予約サイトを配信するお天気保険付き商品配信装置としての予約サーバ２００と、予約サーバ２００にアクセスすることで予約サイトを閲覧できる複数のクライアント端末３００と、お天気保険お見舞金またはお見舞サービスを適用するかどうかの判定を行うお天気保険判定サーバ４００と、お天気保険判定サーバ４００にアクセスする保険会社端末５００と、がインターネット２０を介して接続されている。【選択図】図１
2012128821.tif 000002
【特許請求の範囲】
【請求項１】
複数のクライアント端末にネットワークを介して接続され、このクライアント端末から取得した検索条件に適合するお天気保険付き商品プランを商品プラン情報配信サイトに掲載して当該商品プランに対する予約を受け付けるお天気保険付き商品配信装置であって、
ネットワークを介して接続された事業主端末から入稿された前記商品プランに関する情報を含む商品プランデータを入稿日時とともに蓄積する商品プラン記憶手段と、
前記商品プランに対する予約を管理する予約管理手段と、
前記クライアント端末から取得した検索条件に適合するとともに、前記予約管理手段で予約に空きのある前記商品プランデータを前記商品プラン記憶手段から抽出し、抽出された前記商品プランデータを検索結果リストとして生成する検索結果生成手段と、
前記クライアント端末から予約された商品プランデータを蓄積する予約内容記憶手段と、
前記商品プランデータを前記クライアント端末へ送信する予約内容通知手段と、
を具備したことを特徴とするお天気保険付き商品配信装置。
【請求項２】
請求項１に記載のお天気保険付き商品配信装置としての予約サーバおよび複数のクライアント端末にネットワークを介して接続され、お天気保険お見舞金またはお見舞サービスを適用するかどうかの判定を行うお天気保険判定サーバであって、
前記商品プランデータを前記予約サーバから取得し蓄積する保険申込記憶手段と、
過去のお天気データを管理する天気管理手段と、
前記保険申込記憶手段と前記天気管理手段とを照合し、お天気保険お見舞金またはお見舞サービスを適用するかどうかの判定を行うお天気判定手段と、
前記お天気判定を行った結果を出力するお天気判定結果出力手段と、
を具備したことを特徴とするお天気保険判定サーバ。
【請求項３】
請求項１に記載のお天気保険付き商品配信装置において、
前記プランは、旅行プランであることを特徴とするお天気保険付き商品配信装置。
【請求項４】
請求項１に記載のお天気保険付き商品配信装置において、
前記プランは、ホテルプランであることを特徴とするお天気保険付き商品配信装置。
【請求項５】
請求項１に記載のお天気保険付き商品配信装置において、
前記プランは、結婚式プランであることを特徴とするお天気保険付き商品配信装置。
【請求項６】
請求項１から請求項５のいずれかに記載のお天気保険付き商品配信装置において、会員のみが予約できることを特徴とするお天気保険付き商品配信装置。
【請求項７】
複数のクライアント端末にネットワークを介して接続され、商品プランを提供する複数の事業主端末から前記商品プランのプランデータが入稿される請求項１に記載のお天気保険付き商品配信装置と、
請求項２に記載のお天気保険判定サーバと、
を具備したことを特徴とするお天気保険システム。
【発明の詳細な説明】
【技術分野】
【０００１】本発明は、ネットワーク上で各種プランの予約を行うお天気保険付き商品配信装置、お天気保険判定サーバおよびお天気保険システムに関する。
【背景技術】
【０００２】従来、インターネットなどのネットワーク上で旅行、ホテルや結婚式等の予約を行うことができるウェブサイト（以下、予約サイトと称する）が配信されている。これらの商品は、ずっと雨が降った場合は概して満足度が減少する傾向にあるが、雨が降ったことはこれらの商品を提供した事業主らの責任ではないため、雨が降ったことによって前記事業主らはお見舞金またはお見舞サービスを提供することはなかった。
【発明の概要】
【発明が解決しようとする課題】
【０００３】一方で、ユーザーにおいては、時間とお金を費やして旅行、ホテル宿泊や結婚式等を実施するため、催行日の催行地における天候は予約の段階から大きな関心毎であった。しかし、前記事業主側にとっては、雨という偶発的な事象が原因で自らの利益が削減されることを回避したいという事情があり、お天気保険の類のサービスが存在しなかった。【０００４】本発明の目的は、保険事業者が販売するお天気保険の保険契約者および被保険者となった前記事業主がお天気保険付き商品配信装置を提供し、前記保険事業者がお天気保険判定サーバを提供することによって、お天気保険システムを提供することである。
【課題を解決するための手段】
【０００５】本発明のお天気保険付き商品配信装置は、複数のクライアント端末にネットワークを介して接続され、このクライアント端末から取得した検索条件に適合するお天気保険付き商品プランを商品プラン情報配信サイトに掲載して当該商品プランに対する予約を受け付けるお天気保険付き商品配信装置であって、ネットワークを介して接続された事業主端末から入稿された前記商品プランに関する情報を含む商品プランデータを入稿日時とともに蓄積する商品プラン記憶手段と、前記商品プランに対する予約を管理する予約管理手段と、前記クライアント端末から取得した検索条件に適合するとともに、前記予約管理手段で予約に空きのある前記商品プランデータを前記商品プラン記憶手段から抽出し、抽出された前記商品プランデータを検索結果リストとして生成する検索結果生成手段と、前記クライアント端末から予約された商品プランデータを蓄積する予約内容記憶手段と、前記商品プランデータを前記クライアント端末へ送信する予約内容通知手段と、を具備したことを特徴とする。【０００６】ここで、クライアント端末から取得した検索条件とは、お天気保険付き商品配信装置が提供する旅行、ホテルや結婚式などのプランの予約サイトにおいて、クライアント端末で指定された日付やエリアなどに関する検索条件である。
ユーザーはクライアント端末を操作してお天気保険付き商品配信装置が提供する予約サイトにアクセスし、希望するスケジュールやエリアを入力して検索条件とする。そして、この検索条件をお天気保険付き商品配信装置に送信して検索条件に適合するプランを要求する。検索条件としては特に限定されず、事業主端末が提供するプランの内容に応じて項目を指定すればよい。
お天気保険付き商品配信装置は、クライアント端末からの要求を認識すると、商品プラン記憶手段、予約管理手段、検索結果生成手段、予約内容記憶手段および予約内容通知手段により、クライアント端末からの検索条件に適合するとともに予約に空きのあるプランデータを抽出し、予約の内容を、ネットワークを介して接続されたクライアント端末に送信し、各プランに対する予約を受け付けて管理するものである。【０００７】なお、お天気保険付き商品配信装置は、１つの装置で構成されてもよいが、複数の装置で構成されるものであってもよい。複数の装置で構成される場合は、複数の装置を合わせて、商品プラン記憶手段、予約管理手段、検索結果生成手段、予約内容記憶手段および予約内容通知手段を具備していればよい。例えば、お天気保険付き商品配信装置が２つの装置で構成される場合、一方の装置を主体として商品プラン記憶手段、予約管理手段および検索結果生成手段を具備し、他方の装置が予約内容記憶手段および予約内容通知手段を具備する。【０００８】商品プラン記憶手段には、事業主端末から入稿されたプランデータが記憶されている。プランデータは、例えば、プラン名、場所、価格、エリア、などの情報を含んでいる。また、商品プラン記憶手段には、プランデータが入稿された日時が各プランデータの入稿日時として記憶される。
検索結果生成手段は、クライアント端末から取得した検索条件に適合するプランデータをプラン記憶手段から抽出し、検索結果リストを作成する。検索結果リストは、プランの一覧でも場所の一覧でもよく、検索結果としてウェブページに表示されるものである。なお、検索結果リストを表示する形態は様々である。通常、１つのプラン提供場所に対して複数のプランがあるため、例えば、プランのリストを表示してもよいし、全プランをプラン提供場所ごとに整理したプラン提供場所のリストを表示してもよい。【０００９】本発明のお天気保険判定サーバは、主に保険事業者が使用し、お天気保険付き商品配信装置としての予約サーバおよび複数のクライアント端末にネットワークを介して接続され、お天気保険お見舞金またはお見舞サービスを適用するかどうかの判定を行うお天気保険判定サーバであって、前記商品プランデータを前記予約サーバから取得し蓄積する保険申込記憶手段と、過去のお天気データを管理する天気管理手段と、前記保険申込記憶手段と前記天気管理手段とを照合し、お天気保険お見舞金またはお見舞サービスを適用するかどうかの判定を行うお天気判定手段と、前記お天気判定を行った結果を出力するお天気判定結果出力手段と、を具備したことを特徴とする。【００１０】お天気保険判定サーバは、お天気保険付き商品配信装置もしくはクライアント端末からのデータ連動により、保険申込記憶手段にユーザー毎の予約データを蓄積する。予約データには、例えば、お天気保険の対象地域、対象日時、対象時間帯などがユーザーの予約単位毎に蓄積される。お天気保険判定サーバに、前記予約内容通知手段があっても良い。【００１１】お天気保険判定サーバの天気管理手段には、日本国内では気象庁が公表している過去のお天気データが、海外では各国が公表している過去のお天気データが、定期的に蓄積されている。お天気判定手段は、前記保険申込記憶手段と前記天気管理手段を定期的に照合し、予めユーザー毎に指定した対象地域、対象日時、対象時間帯において、一定量以上の雨、雪、あられまたはみぞれが降り続いた場合は、お天気保険お見舞金またはお見舞サービスを適用する。お天気判定結果出力手段は、前記お天気判定を行った結果をファイルとして出力する。【００１２】なお、お天気保険判定サーバは、１つの装置で構成されてもよいが、複数の装置で構成されるものであってもよい。複数の装置で構成される場合は、複数の装置を合わせて、保険申込記憶手段、天気管理手段、お天気判定手段およびお天気判定結果出力手段を具備していればよい。例えば、お天気保険判定サーバが２つの装置で構成される場合、一方の装置を主体として保険申込記憶手段を具備し、他方の装置が天気管理手段、お天気判定手段およびお天気判定結果出力手段を具備する。【００１３】本発明のお天気保険付き商品配信装置において、前記プランは、旅行プラン、ホテルプランまたは結婚式プランであることが好ましい。
この発明では、お天気保険付き商品配信装置が提供する予約サイトは、旅行プラン、ホテルプランまたは結婚式プランの予約サイトであり、検索結果ページには、検索条件に適合する旅行プラン、ホテルプランまたは結婚式プランの一覧が検索結果リストとして表示される。したがって、予約サイトにおいて、前述の作用効果を奏することができる。【００１４】本発明のお天気保険付き商品配信装置は、会員のみが予約できることを特徴とする予約サイトであっても良い。【００１５】本発明のお天気保険システムは、複数のクライアント端末にネットワークを介して接続され、商品プランを提供する複数の事業主端末から前記商品プランのプランデータが入稿される請求項１に記載のお天気保険付き商品配信装置と、請求項２に記載のお天気保険判定サーバと、を具備したことを特徴とする。
【図面の簡単な説明】
【００１６】
【図１】本発明の実施形態にかかるお天気保険システムの構成の概略を示す図。
【図２】本発明の実施形態にかかるお天気保険システムの構成の詳細を示すブロック図。
【発明を実施するための最良の形態】
【００１７】以下、本発明の実施形態を図面に基づいて説明する。
［お天気保険システムの構成の概略］
図１は、本発明の実施形態にかかる予約サーバを含むお天気保険システムの構成の概略を示す図である。
図１で示すように、お天気保険システム１０は、お天気保険付き旅行、お天気保険付きホテルやお天気保険付き結婚式などの商品プランを提供する複数の事業主端末１００と、これらの商品プランが掲載された予約サイトを配信するお天気保険付き商品配信装置としての予約サーバ２００と、予約サーバ２００にアクセスすることで予約サイトを閲覧できる複数のクライアント端末３００と、お天気保険お見舞金またはお見舞サービスを適用するかどうかの判定を行うお天気保険判定サーバ４００と、お天気保険判定サーバ４００にアクセスする保険会社端末５００と、がインターネット２０を介して接続されている。【００１８】インターネット２０はＴＣＰ／ＩＰなどの汎用のプロトコルに基づくインターネットであるが、これに限られない。例えば、ＬＡＮ（Ｌｏｃａｌ  Ａｒｅａ  Ｎｅｔｗｏｒｋ）などのイントラネット、無線媒体により情報が送受信可能な複数の基地局がネットワークを構成する通信回線網や放送網などのネットワーク、さらには、データを直接受信するための媒体となる無線媒体自体など、データを送受信させるいずれの構成が利用できる。【００１９】事業主端末１００では、様々なお天気保険付き旅行、お天気保険付きホテルやお天気保険付き結婚式などの商品プランが提案され、これらのプランはプランデータとしてインターネット２０を介して予約サーバ２００へ入稿される。すなわち、事業主端末１００は、旅行先やホテルを紹介する旅行会社や結婚式場を紹介する結婚式場紹介会社であり、それぞれのプラン提供場所における様々なプランデータを予約サーバ２００へ入稿する。
予約サーバ２００は、様々なお天気保険付き旅行、お天気保険付きホテルやお天気保険付き結婚式の予約ができるウェブサイト（以下、予約サイトと称する）を提供する。予約サーバ２００では、事業主端末１００から入稿されたプランデータが蓄積され、クライアント端末３００から取得した検索条件に適合するプランデータが検索結果リストとして表示された検索結果ページがクライアント端末３００に配信される。
クライアント端末３００は、予約サーバ２００にインターネット２０を介してアクセスするアクセス手段を有し、アクセス手段により閲覧したい予約サイトを要求し、予約サーバ２００から受信した予約サイトを画面等の表示手段により表示する。
【お天気保険システムの構成の詳細】
【００２０】図２は、本発明の実施形態にかかる予約サーバを含むお天気保険システムの構成の詳細を示すブロック図である。
事業主端末１００は、予約サーバ２００、クライアント端末３００、お天気保険判定システム４００および保険会社端末５００にネットワークを介して接続され、記憶手段および演算処理手段を備えている。本実施形態では、事業主端末１００は旅行会社であり、予約サーバ２００にお天気保険付き旅行プランのプランデータを入稿するほか、クライアント端末３００の要求に応じてお天気保険付き旅行プランの予約ページを送信し、クライアント端末３００からの予約情報を受信して予約処理を行う。
【００２１】記憶手段としては、事業主端末１００で登録されたプランデータを記憶するプランデータベース１１０と、各プランに対するユーザーの予約内容を記憶する予約台帳データベース１２０を備えている。
【００２２】一方、演算処理手段としては、事業主により提案された様々なプランをプランデータとしてプランデータベース１１０に登録するプラン登録部１５１と、プランデータベース１１０に蓄積されたプランデータを予約サーバ２００に入稿するプラン入稿部１５２と、クライアント端末３００からの予約ページ要求を受信するページ要求受信部１６１と、要求された予約ページを作成するページ作成部１６２と、作成したページをクライアント端末３００に配信するページ送信部１６３と、クライアント端末３００からの予約情報を受け付ける予約受付部１７１と、予約情報に基づいて予約サーバ２００からユーザー情報を取得するユーザー情報取得部１７２と、予約情報をお天気保険判定システム４００へ送信する予約送信部１７３を備えている。
【００２３】ここで、予約受付部１７１および予約台帳データベース１２０は、本発明の予約管理手段として機能する。すなわち、本実施形態のお天気保険システム１０は、後述の予約サーバ２００の各演算手段と事業主端末１００の予約管理手段とによって本発明のお天気保険付き商品配信装置を構成するものである。なお、予約受付部１７１および予約台帳データベース１２０（予約管理手段）は、予約サーバ２００に備えられていてもよい。
【００２４】プラン登録部１５１では、事業主端末１００の図示しない入力手段により入力された各旅行プランがプランデータとしてプランデータベース１１０に登録される。
プラン入稿部１５２は、プランデータベース１１０に蓄積されたプランデータのうち、予約に空きのあるプランデータを予約サーバ２００へ入稿する。具体的には、予約台帳データベース１２０を参照し、各プランにおける予約数が所定数に満たないプランをプランデータベース１１０に蓄積されたプランデータと関連付けて抽出する。また、入稿する方法としては、ＸＭＬを利用したコンテンツ配信フォーマットであるＲＳＳ（ＲＤＦ  Ｓｉｔｅ  ＳｕｍｍａｒｙまたはＲｉｃｈ  Ｓｉｔｅ  Ｓｕｍｍａｒｙ）などを利用することができる。また、入稿は定期的に行われるが、季節やイベントの時期に応じて逐次入稿するようにしてもよい。
【００２５】ページ要求受信部１６１は、クライアント端末３００からのページ要求を受信する。具体的には、予約サーバ２００が配信する予約サイト上で任意のプランデータが選択されると、そのプランデータを入稿した事業主端末１００へクライアント端末３００からページ要求が送信され、事業主端末１００はページ要求受信部１６１でそのページ要求を受信する。
ページ作成部１６２は、クライアント端末３００が要求したページを作成する。ページ送信部１６３は、作成されたウェブページをクライアント端末３００に対して送信する。
【００２６】予約受付部１７１は、クライアント端末３００から送信された予約情報を受信し、予約処理を行う。予約処理としては、クライアント端末３００から送信された予約情報に基づいてユーザー情報を取得し、予約台帳データベース１２０に予約情報を登録するとともに、予約があった旨の通知を予約サーバ２００に対して送信する。
ユーザー情報取得部１７２は、予約受付部１７１で予約情報を受信すると、その予約情報に基づいて予約サーバ２００のユーザー情報データベース２２０からユーザー情報を取得し、そのユーザー情報を予約受付部１７１へ返す。
予約送信部１７３は、予約台帳データベース１２０のデータを、お天気保険判定システム４００へ送信する。
【００２７】予約サーバ２００は、事業主端末１００、クライアント端末３００、お天気保険判定サーバ４００および保険会社端末５００にネットワークを介して接続され、記憶手段および演算処理手段を備えている。予約サーバ２００は、定期的または必要に応じて、事業主端末１００、クライアント端末３００またはお天気保険判定サーバ４００にアクセスし、これらからネットワークを介して送出する各種データを送受信する。
【００２８】記憶手段としては、複数の事業主端末１００から入稿されたプランデータを蓄積するプラン記憶手段としてのプランデータベース２１０と、ユーザーＩＤなどのユーザー情報を蓄積したユーザー情報記憶手段としてのユーザー情報データベース２２０と、を備えている。
【００２９】プランデータベース２１０は、複数の事業主端末１００から入稿されたプランデータごとの情報が１つのレコードとして記憶されるテーブル構造となっている。すなわち、事業主端末１００のプランデータベース１１０のデータに、事業主端末１００の広告主ＩＤを付加したものが、予約サーバ２００におけるプランデータベース２１０の１レコードとなる。
【００３０】一方、演算処理手段としては、事業主端末１００から入稿されたプランデータを受け付けるプラン受付部２５１と、クライアント端末３００からのページ要求を受信するとともに検索条件を受信するページ要求受信部２６１と、検索条件に応じたプランデータをプランデータベース２１０から抽出するプラン検索部２６２と、クライアント端末３００が要求したページを作成するページ作成部２６３と、作成されたページをクライアント端末３００に送信するページ送信部２６４と、を備えている。
なお、本実施形態では、プラン検索部２６２が本発明の検索結果生成手段として機能する。
【００３１】プラン受付部２５１は、事業主端末１００から入稿されたプランデータを広告主ごとにプランデータベース２１０に登録する。
ページ要求受信部２６１は、クライアント端末３００からのページ要求を受信する。
プラン検索部２６２は、ページ要求受信部２６１で検索条件を受信した場合に検索条件に適合するプランデータをプランデータベース２１０から抽出する。
ページ作成部２６３は、クライアント端末３００が要求したページを作成する。
ページ送信部２６４は、ページ作成部２６３で作成されたウェブページをクライアント端末３００へ送信する。
【００３２】クライアント端末３００は、各種演算を行う演算処理手段を備えている。
【００３３】演算処理手段としては、予約サーバ２００に対して閲覧したいウェブページを要求するページ要求部３５１と、予約サーバ２００から配信されたウェブページを受信するページ受信部３５２と、受信したウェブページを端末表示手段より画面表示させるページ表示部３５３と、表示されたウェブページ上で選択した検索条件を予約サーバ２００に送信する検索条件送信部３５４と、予約情報を事業主端末１００に送信する予約情報送信部３５５と、を備えている。
なお、ページ要求部３５１とページ受信部３５２と検索条件送信部３５４と予約情報送信部３５５とが本発明のアクセス手段として機能する。
【００３４】ページ要求部３５１は、閲覧したいウェブページを予約サーバ２００に要求する場合と、選択したプランの予約ページを事業主端末１００に要求する場合とがある。前者では、予約サーバ２００が配信する旅行検索ページを要求する。このとき、ユーザーＩＤなどのユーザ情報を予約サーバ２００に対して送信してもよい。後者は、予約サーバ２００から配信された旅行検索結果ページに表示された旅行プランを選択した場合に送信される。
ページ受信部３５２は、事業主端末１００または予約サーバ２００から送信されたウェブページを受信する。
ページ表示部３５３は、受信したウェブページを画面等の出力手段により表示する。
【００３５】検索条件送信部３５４は、クライアント端末３００の入力手段により入力された検索条件を予約サーバ２００に送信する。すなわち、検索条件を送信することで、この検索条件に適合するプランデータを表示する検索結果ページを要求することになる。
予約情報送信部３５５は、クライアント端末３００の入力手段により入力された予約情報を事業主端末１００に送信する。
【００３６】クライアント端末３００としては、インターネットを介して事業主端末１００および予約サーバ２００に接続可能な機器であればよく、特に限定されないが、例えば、携帯電話やノートパソコンなどが挙げられる。なお、図２においては、１つの事業主端末１００と１つのクライアント端末３００とが予約サーバ２００に接続された構成を例示したが、実際には、予約サーバ２００は、多数の事業主端末１００からプランを受け付け、多数のクライアント端末３００に対して予約サイトを提供するものである。
【００３７】お天気保険判定サーバ４００は、事業主端末１００、予約サーバ２００、クライアント端末３００および保険会社端末５００にネットワークを介して接続され、記憶手段および演算処理手段を備えている。お天気保険判定サーバ４００は、は、定期的または必要に応じて、事業主端末１００、予約サーバ２００、クライアント端末３００または保険会社端末５００にアクセスし、これらからネットワークを介して送出する各種データを送受信する。
【００３８】記憶手段としては、事業主端末１００から送信された予約データを蓄積する保険申込記憶手段としての予約台帳データベース４１０と、図示しない入力手段により入力された過去天気情報を蓄積する天気管理手段としての過去天気データベース４２０と、予約台帳データベース４１０と過去天気データベース４２０を照合した結果、お天気保険お見舞金またはお見舞サービスを適用するユーザー情報を蓄積するお天気判定手段としてのお天気保険の照合結果データベース４３０を備えている。
【００３９】一方、演算処理手段としては、事業主端末１００から送信された予約データを受け付ける予約受付部４５１と、保険会社端末５００からのページ要求を受信するページ要求受信部４６１と、保険会社端末５００が要求したページを作成するページ作成部４６２と、作成されたページを保険会社端末５００に送信するページ送信部４６３と、予約台帳データベース４１０と過去天気データベース４２０の照合を行うお天気判定部４７１と、を備えている。
【００４０】予約受付部４５１は、事業主端末１００から送信された予約データを予約台帳データベース４１０に登録する。
ページ要求受信部４６１は、保険会社端末５００からのページ要求を受信する。ページ要求受信部４６１はお天気判定部４７１に対し、予約台帳データベース４１０に登録されたそれぞれの保険申込データと、過去天気データベース４２０とを照合し、お天気保険お見舞金またはお見舞サービスを適用するユーザー情報を照合結果データベース４３０に蓄積すること要求する。
ページ作成部４６２は、照合結果データベース４３０の照合結果ページを作成する。
ページ送信部４６３は、ページ作成部４６２で作成されたウェブページを保険会社端末５００へ送信する。
【００４１】保険会社端末５００は、各種演算を行う演算処理手段を備えている。
【００４２】演算処理手段としては、お天気保険判定サーバ４００に対して閲覧したいウェブページを要求するページ要求部５５１と、お天気保険判定サーバ４００から配信されたウェブページを受信するページ受信部５５２と、受信したウェブページを端末表示手段より画面表示させるページ表示部５５３と、を備えている。
なお、ページ要求部３５１とページ受信部３５２とが本発明のアクセス手段として機能する。
【００４３】ページ要求部５５１は、閲覧したいウェブページをお天気保険判定サーバ４００に要求する。
ページ受信部５５２は、お天気保険判定サーバ４００から送信されたウェブページを受信する。
ページ表示部５５３は、受信したウェブページを画面等の出力手段により表示する。
【００４４】保険会社端末５００としては、インターネットを介してお天気保険判定サーバ４００に接続可能な機器であればよく、特に限定されないが、例えば、携帯電話やノートパソコンなどが挙げられる。
【産業上の利用可能性】
【００４５】本発明は、ネットワーク上で予約サイトを提供するお天気保険付き商品配信装置、お天気保険判定サーバおよびお天気保険システムとして利用できる。
【符号の説明】
【００４６】１０  お天気保険システム
２０  インターネット
１００  事業主端末
１１０  プランデータベース
１２０  予約台帳データベース
１５１  プラン登録部
１５２  プラン入稿部
１６１  ページ要求受信部
１６２  ページ作成部
１６３  ページ送信部
１７１  予約受付部
１７２  ユーザー情報取得部
１７３  予約送信部
２００  予約サーバ
２１０  プランデータベース
２２０  ユーザー情報データベース
２５１  プラン受付部
２６１  ページ要求受信部
２６２  プラン検索部
２６３  ページ作成部
２６４  ページ送信部
３００  クライアント端末
３５１  ページ要求部
３５２  ページ受信部
３５３  ページ表示部
３５４  検索条件送信部
３５５  予約情報送信部
４００  お天気保険判定サーバ
４１０  予約台帳データベース
４２０  過去天気データベース
４３０  照合結果データベース
４５１  予約受付部
４６１  ページ要求受信部
４６２  ページ作成部
４６３  ページ送信部
５００  保険会社端末
５５１  ページ要求部
５５２  ページ受信部
５５３  ページ表示部
【図１】
2012128821.tif 000003
【図２】
2012128821.tif 000004